(57)【要約】【課題】従来の技術では通話と画像形成を同時行う事ができるため、複合機の場合、通話等の出音が画像形成等の動作音によって妨げられ、ユーザが複合機における通話等の出音を聞き取りにくいという問題があった。【解決手段】  複合機１０は、ＣＰＵ１１が補正処理を実行する規定の時間が経過したときに（Ｓ１０１：ＹＥＳ）着信が開始されると（Ｓ１０２：ＹＥＳ）、画像形成部１７が補正処理を全速で開始し（Ｓ１０３）、ＣＰＵ１１が報知部２２の着信音量を「大」に設定する（Ｓ１０４）。【選択図】        図３
2011142612.tif 000002
【特許請求の範囲】
【請求項１】
外部装置と回線を介して通信するときに出音する出音部と、
着色剤を用いて画像データに基づく画像形成をする画像形成部と、
前記画像形成部が稼動していない間に前記出音部から音を出すときには第１の音量で音を出し、前記画像形成部が稼動している間に前記出音部から第１の音量より大きい第２の音量で音を出すように調整する出音調整部と、
を備えることを特徴とする複合機。
【請求項２】
前記出音調整部は、前記出音部から音を出すときの音量を、前記画像形成部が稼動を開始したら前記出音部から出す音の音量を第２の音量に変更し、前記画像形成部が停止したら出音部から出す音の音量を弟１の音量に変更することを特徴とする請求項１に記載の複合機。
【請求項３】
前記画像形成部の動作速度を調整する速度調整部を備え、
前記出音調整部は、前記画像形成部が稼動していない間に前記出音部から音を出すときには第１の音量で音を出し、前記速度調整部が前記画像形成部を第１の速度で稼動している間に前記出音部から音を出すときには、第１の音量より大きい第２の音量で音を出すように調整し、前記速度調整部が前記画像形成部を第１の速度より大きい第２の速度で稼動している間に前記出音部から音を出すときには、第２の音量より大きい第３の音量で音を出すように調整することを特徴とする請求項１または請求項２に記載の複合機。
【請求項４】
前記出音部は外部装置と回線を介して通信が始まったときに着信音を出音し、
前記画像形成部は、前記出音部が音を出す際に、所定の条件が成立したときに画像形成時の画像品質を向上するため、着色剤を用いて画像データに基づく画像を形成する補正処理の実行を開始することを特徴とする請求項１〜３のいずれかに記載の複合機。
【請求項５】
前記出音部が音を出す際に、前記補正処理が実行されていることを検知する検知部を備え、
前記出音調整部は、前記検知部が出音部が着信音を出す際に、前記補正処理が実行されていることを検知すると、前記着信音を第１の音量より大きい第２の音量で音を出すように調整することを特徴とする請求項１〜４のいずれかに記載の複合機。
【発明の詳細な説明】
【技術分野】
【０００１】
本発明は、通話と画像形成とを実行可能な複合機に関する。
【背景技術】
【０００２】
従来より、通話と画像形成とを同時に実行することが可能である電話付のファクシミリ装置が存在する。例えば、通話中に指定のキーを押下することで、メモ用紙を含む定型フォーマット用紙の印刷を可能とするファクシミリ装置が特許文献１に提案されている。
【先行技術文献】
【特許文献】
【０００３】
【特許文献１】特開平６−１８９０５１号公報
【発明の概要】
【発明が解決しようとする課題】
【０００４】
従来のファクシミリ装置の技術では通話と印刷画像形成とを同時に行う事ができるため、複合機の場合、通話音が画像形成等の動作音によって妨げられ、ユーザがファクシミリ装置における通話音を聞き取りにくいという問題があった。
【０００５】
そこで、通話と画像形成とを実行可能な複合機における着信音や通話音等の音量を、画像形成等の動作音が発生しているときは、そうでない場合に比べて大きくすることにより、複合機における着信音や通話音をユーザが聞きやすくすることを目的とする。
【課題を解決するための手段】
【０００６】
上記目的を達成するために、請求項１記載の本発明は、外部装置と回線を介して通信するときに出音する出音部と、着色剤を用いて画像データに基づく画像形成する画像形成部と、画像形成部が稼動していない間に出音部から音を出すときには第１の音量で音を出し、画像形成部が稼動している間に出音部から第１の音量より大きい第２の音量で音を出すように調整する出音調整部と、を備えたことを特徴とするものである。
【０００７】
請求項２記載の本発明は、請求項１に記載の発明において、出音調整部は、出音部から音を出すときの音量を、画像形成部が稼動を開始したら出音部から出す音の音量を第２の音量に変更し、画像形成部が停止したら出音部から出す音の音量を弟１の音量に変更することを特徴とするものである。
【０００８】
請求項３記載の本発明は、請求項１または請求項２に記載の発明において、画像形成部の動作速度を調整する速度調整部を備え、出音調整部は、画像形成部が稼動していない間に出音部から音を出すときには第１の音量で音を出し、速度調整部が画像形成部を第１の速度で稼動している間に出音部から音を出すときには、第１の音量より大きい第２の音量で音を出すように調整し、速度調整部が画像形成部を第１の速度より大きい第２の速度で稼動している間に前記出音部から音を出すときには、第２の音量より大きい第３の音量で音を出すように調整することを特徴とするものである。
【０００９】
請求項４記載の本発明は、請求項１〜３のいずれかに記載の発明において、出音部は外部装置と回線を介して通信が始まったときに着信音を出音し、画像形成部は、出音部が音を出す際に、所定の条件が成立したときに画像形成時の画像品質を向上するため、着色剤を用いて画像データに基づく画像を形成する補正処理の実行を開始することを特徴とするものである。
【００１０】
請求項５記載の本発明は、請求項１〜４のいずれかに記載の発明において、出音部が着信音を出す際に、補正処理が実行されていることを検知する検知部を備え、出音調整部は、検知部が出音部が着信音を出す際に、補正処理が実行されていることを検知すると、着信音を第１の音量より大きい第２の音量で音を出すように調整することを特徴とするものである。
【発明の効果】
【００１１】
請求項１記載の複合機によれば、出音調整部は、画像形成部が稼動していない間に出音部から音を出すときには第１の音量で音を出し、画像形成部が稼動している間に出音部から第１の音量より大きい第２の音量で音を出すように調整するので、画像形成部が稼動している間は、画像形成部が稼動していない間に比べて、第１の音量より大きい第２の音量で出音部が音を出すこととなり、ユーザは画像形成部が稼動している間でも出音部に依る出音を認識しやすくなる。
【００１２】
請求項２記載の複合機によれば、出音調整部は、出音部から音を出すときの音量を、画像形成部が稼動を開始したら出音部から出す音の音量を第２の音量に変更し、画像形成部が停止したら出音部から出す音の音量を弟１の音量に変更するので、画像形成部が稼動を開始した後に停止した場合、出音部から出す音の音量を第２の音量から弟１の音量に変更することとなる。つまり、画像形成中に画像形成部が出音する時期と出音部が出音する時期が重ならないときに、出音部の出音量が不必要に上昇しないことになり、ユーザの利便性が増す。
【００１３】
請求項３記載の複合機によれば、出音調整部は、画像形成部が稼動していない間に出音部から音を出すときには第１の音量で音を出し、速度調整部が画像形成部を第１の速度で稼動している間に出音部から音を出すときには、第１の音量より大きい第２の音量で音を出すように調整し、速度調整部が画像形成部を第１の速度より大きい第２の速度で稼動している間に前記出音部から音を出すときには、第２の音量より大きい第３の音量で音を出すように調整するので、画像形成部の動作速度が遅いほど出音量を小さくなり、余分に出音量を上げることなく、ユーザに対して出音部に依る出音を認識しやすくすることができる。
【００１４】
請求項４記載の複合機によれば、画像形成部は、出音部が外部装置と回線を介して通信が始まって着信音を出す際に、所定の条件が成立したときに画像形成時の画像品質を向上するため、着色剤を用いて画像データに基づく画像を形成する補正処理の実行を開始するので、着信音を出す際に、補正処理が実行されることとなり、着信音と補正処理により出る音とを一時期に集中させることができる。
【００１５】
請求項５記載の複合機によれば、出音調整部は、出音部が着信音を出す際に、補正処理が実行されていると、着信音を第１の音量より大きい第２の音量で音を出すように調整するので、補正処理を実行中であっても、第１の音量より大きい第２の音量で着信音を出すこととなり、ユーザは補正処理を実行中であっても出音部に依る出音を認識しやすくなる。
【図面の簡単な説明】
【００１６】
【図１】本発明の実施形態における複合機の概略構成を示すブロック図
【図２】本発明の実施形態における音量と速度制御の設定を示すテーブルの一例
【図３】本発明の第１の実施形態における音量調整処理の流れを示すフローチャート
【図４】本発明の実施形態における速度制御処理の流れを示すフローチャート
【発明を実施するための形態】
【００１７】
（複合機の構成）
図１は、本実施形態の画像形成装置の一例である複合機１０の概略構成を示すブロック図である。
【００１８】
本複合機１０は、通話、コピー、画像形成、スキャン、ファクシミリ等の機能を備えた複合機である。図１に示すように、複合機１０は、ＣＰＵ１１、ＲＯＭ１２、ＲＡＭ１３、ＮＶＲＡＭ（不揮発性メモリ）１４、ＮＣＵ１５を備え、これらに受話器１６、画像形成部１７、スキャナ部１８、表示部１９、操作部２０、パターンセンサ２１、報知部２２、モデム２３、ホストインターフェイス（以下、ホストＩ／Ｆ）２４、載置検出部２５などが接続された構成となっている。
【００１９】
ＲＯＭ１２には、後述する速度制御処理など、このプリンタ１０の各種の動作を実行するためのプログラムが記憶されており、ＣＰＵ１１（本発明の検知部、出音調整部、速度調整部の一例）は、ＲＯＭ１２から読み出したプログラムに従って、その処理結果をＲＡＭ１３またはＮＶＲＡＭ１４に記憶させながら各部の制御を行う。
【００２０】
尚、ＮＶＲＡＭ１４には、図２の表に示す様なユーザの通話中における後述する補正処理の動作形態を表す設定情報、補正フラグ等が記憶されている。図２に示すように、ユーザの通話中には、補正処理の動作速度が「全速」のとき「大」、「半速」のとき「中」、「一時停止」のとき「小」のそれぞれの音量で受話器は音を発する。本実施例では、「大」「中」「小」のそれぞれの発音モードにおいて、実際に受話器から発する音量は所定の音量に固定されているが、例えばユーザが「小」に対応する音量を変更可能とし、「中」は「小」よりも大きい音、「大」は「中」より大きい音量になるように自動的に設定されている構成にしてもよい。また、当該設定情報は、通話中に補正処理を実行する際にＣＰＵ１１が読み出し、後述する画像形成部１７の動作形態を決定するために使用する。
【００２１】
ＮＣＵ１５は、一方を電話回線４０に接続し、他方を受話器１６（本発明の出音部の一例）や発呼用のスピーカ等の報知部２２（本発明の出音部の一例）等に接続しており、外部の電話機との通話は受話器１６を介して行うことができる。本発明で通話中とは受話器１６を介して音声通信を行うことができる状態を通話中とする。
【００２２】
受話器１６は、通話音量を上述した様に「大」、「中」、「小」の３段階で通話音量の変化させることのできる構成であり、また、複合機１０に備えられた載置台に載置できる構成となっている。受話器１６の載置台には載置検出部２５が備えられており、載置台に受話器１６の有無を検知に使用される。例えば、受話器１６の載置されているときは、載置検出部２５は押し下げられた状態になっており、受話器１６の載置されていないときは、載置検出部２５は上がった状態になっている。
【００２３】
画像形成部１７（本発明の画像形成部の一例）は、複数色の着色剤（インクやトナー）を用いて用紙に画像を形成するための、ベルトユニット、露光部、プロセス部、定着器（いずれも不図示）を備えている。スキャナ部１８は、原稿を読み取ることで画像データを取得する。
【００２４】
表示部１９は、ディスプレイやランプ等を備え、各種の設定画面や装置の動作状態等を表示することが可能である。操作部２０は、複数のボタンを備え、ユーザにより各種の入力操作が可能である。パターンセンサ２１は、後述する補正処理の実行時に、画像形成部１７により形成されたパターンを検出する。
【００２５】
報知部２２は外部の電話機から通話要求を受信したことを着信音や光、表示部１９等を介してユーザに知らせる。報知部２２は着信音等を受話器１６により通話が可能となるまで、着信音等を発し続ける。
【００２６】
（補正処理）
補正処理を説明する。補正処理とは濃度補正や位置ずれ補正など、画像形成時の画像品質を向上するための画質調整処理をいい、本発明でいう補正は、濃度補正と位置ずれ補正の両方を含む。濃度補正では、パターンデータに基づいて画像形成部１７によりベルトやドラム等の担持体上に形成した各色の濃度パターンの濃度をパターンセンサ２１により測定し、その結果に基づいて各色の画像形成時の濃度が適切になるように調整を行う。また、位置ずれ補正では、画像形成部１７により担持体上に各色のパターンを形成し、パターンセンサ２１によりそのパターンの検出を行うことで各色の画像形成位置のずれを測定し、その結果に基づいて各色の画像形成位置が適切になるように調整を行う。
【００２７】
また、補正を実行する時期は、前回の補正を行ったときを基準として、前回の補正を行ったときから規定の時間経過したことで判断する。他に、規定の枚数分画像形成を行ったということを基準としてもよい。
【００２８】
尚、上記パターンデータに基づいて画像形成部がベルトユニット上に濃度パターンを形成することは、本発明の画像形成部が「着色剤を用いて画像データに基づく画像形成をする」に該当する。
【００２９】
（音量調整処理）
次に複合機１０の動作を説明する。図３は、音量調整処理の流れを示すフローチャートである。当該音量調整処理は、例えば、複合機１０が起動後、定期的にＣＰＵ１１によって実行される。
【００３０】
ＣＰＵ１１は、補正処理を実行する規定の時間が経過したか判断する（Ｓ１０１）。ここで、ＣＰＵ１１は適宜、ＮＶＲＡＭ１４に記録されている補正フラグを確認する。例えば、ＣＰＵ１１は、前回の補正処理を行った時刻から１０時間経過すると、画像品質を保つためには補正処理を行ったほうが良いと判断して、ＮＶＲＡＭ１４に記憶されている補正フラグを「０」から「１」に書き換えて記憶する。
【００３１】
また、前回の補正処理を行った時刻から２０時間経過すると、補正処理を行わないと画像形成時の画像品質を保てないと判断して、後述する音量調整処理を終了し、直後に、補正処理を行う。つまり、一定期間以上、公衆回線からの呼び出しがない場合は、公衆回線の呼び出しの有無に関係なく補正処理を行う。
【００３２】
ＣＰＵ１１が規定の時間が経過したと判断した場合（Ｓ１０１：ＹＥＳ）、着信が開始されたかを判断する（Ｓ１０２）。着信が開始された場合（Ｓ１０２：ＹＥＳ）、補正処理を全速で行う（Ｓ１０３）。例えば、ＣＰＵ１１は、公衆回線から呼び出されていることを検知すると、報知部２２に着信音を報知させる。また、このときに、ＣＰＵ１１は、補正フラグを参照し、補正フラグが「１」の場合に補正処理を開始する。
【００３３】
一方、Ｓ１０１において、ＣＰＵ１１は、規定の時間が経過していないと判断した場合（Ｓ１０１：ＮＯ）、音声調整処理を終了する。また、Ｓ１０２において、着信が開始されない場合（Ｓ１０２：ＮＯ）、ＣＰＵ１１は音声調整処理を終了する。
【００３４】
次に、Ｓ１０３にて補正処理が開始されると、着信音量を「大」に設定し（Ｓ１０４）、通話を開始したかを判断する（Ｓ１０５）。例えば、ＣＰＵ１１は、ＮＣＵ１５が公衆回線から呼び出されてから、受話器１６が持ち上げられ、載置検出部２５が押し下げられた状態になったとき、通話を開始したと判断する。通話が開始された場合（Ｓ１０５：ＹＥＳ）、ＣＰＵ１１は速度制御処理を行う（Ｓ１０６）。尚、速度制御処理に関しては、後述にて詳しく説明する。
【００３５】
Ｓ１０７において、ＣＰＵ１１は補正処理が終了したか判断する（Ｓ１０７）。補正処理が終了したと判断した場合（Ｓ１０７：ＹＥＳ）、ＣＰＵ１１は着信音量を「小」に戻し、Ｓ１０６の速度制御処理内で変更した通話音量を「小」に戻して（Ｓ１０８）、音声調整処理を終了する。また、補正処理を行った後、ＮＶＲＡＭ１４に記憶されている補正フラグを「１」から「０」に書き換えて記憶する。
【００３６】
一方、Ｓ１０５において、通話を開始していない場合（Ｓ１０５：ＮＯ）、ＣＰＵ１１は補正処理を終了したか判断する（Ｓ１０９）。補正処理が終了した場合（Ｓ１０９：ＹＥＳ）、ＣＰＵ１１は、着信音量を「小」に戻し、Ｓ１０６の速度制御処理内で変更した通話音量を「小」に戻して（Ｓ１０８）、音声調整処理を終了する。
【００３７】
また、補正処理が終了していない場合（Ｓ１０９：ＮＯ）、Ｓ１０５戻り、ＣＰＵ１１は通話が開始されるか、補正処理が終了するまでＳ１０５とＳ１０９の判断を繰り返す。
【００３８】
尚、着信があったが通話が開始されない場合（Ｓ１０５：ＮＯ、Ｓ１０９：ＮＯ）、ＣＰＵ１１は、着信音量を上げたまま、補正処理を行わせる。また、ＣＰＵ１１は、補正処理が終了する前に着信が終わっても、着信音量を上げたまま、補正処理を行わせ、補正処理が終了するまで（Ｓ１０９：ＹＥＳ）、補正処理が終了したかの判断を繰り返す。
【００３９】
また、Ｓ１０７において、補正処理が終了していない場合（Ｓ１０７：ＮＯ）、Ｓ１０５に戻る。
【００４０】
（速度制御処理）
図３のＳ１０６に示す速度制御処理について、図４を参照して説明する。
【００４１】
ＣＰＵ１１は、図４に示す速度制御処理を開始すると、まず通話中の補正処理の処理速度を一時停止にする設定であるか判断する（Ｓ２０１）。通話中の補正処理の処理速度を一時停止にする設定である場合（Ｓ２０１：ＹＥＳ）、ＣＰＵ１１は通話中の補正処理の処理速度を一時停止に変更し、補正処理を一時停止させる（Ｓ２０２）。続いて、通話音量を「小」に設定する（Ｓ２０３）。
【００４２】
尚、Ｓ２０１の判断は、具体的には、ＣＰＵ１１が、ＮＶＲＡＭ１４に通話中の補正処理の処理速度を一時停止にする旨の情報が記憶されているかどうかを判断する。例えば、ＣＰＵ１１は、ＮＶＲＡＭ１４に補正処理の処理速度を一時停止にする旨の情報が記憶されていれば、通話中の補正処理の処理速度を一時停止にする設定である（Ｓ２０１：ＹＥＳ）と判断し、Ｓ２０２に進む。
【００４３】
Ｓ２０２では、ＣＰＵ１１は画像形成部１７に補正処理の処理速度を一時停止に設定する旨の命令をだし、画像形成部１７はＣＰＵ１１の命令を受けて、補正処理の処理速度を一時停止に変更して、画像形成部１７に補正処理を一時停止させる。
【００４４】
さらに、Ｓ２０３において、ＣＰＵ１１は、ＮＶＲＡＭ１４に処理速度と組み合わせて記録されている通話音量の設定が「小」であることを読み出す。そして、ＣＰＵ１１は受話器１６に通話音量を「小」にするよう旨の命令を出し、受話器１６はＣＰＵ１１の命令を受けて、通話音量を「小」に変更する。
【００４５】
一方、通話中の補正処理の処理速度を一時停止しない設定である場合（Ｓ２０１：ＮＯ）、ＣＰＵ１１は通話中の補正処理の処理速度を半速にする設定であるか判断する（Ｓ２０４）。通話中の補正処理の処理速度を半速にする設定である場合（Ｓ２０４：ＹＥＳ）、ＣＰＵ１１は通話中の補正処理の処理速度を半速に変更し、補正処理を続行させる（Ｓ２０５）。続いて、通話音量を「中」に設定する（Ｓ２０６）。
【００４６】
ここで、半速とは、画像形成部１７のベルトユニットの動作を停止しているときと全速で動作させているときの中間の速度をいう。ベルトユニットの動作速度を遅くすることにより、補正処理の処理速度も遅くなり、補正処理に伴う複合機１０からの騒音が小さくなる。
【００４７】
尚、Ｓ２０４の判断は、具体的には、ＣＰＵ１１が、ＮＶＲＡＭ１４に通話中は補正処理の処理速度を半速にする旨の情報が記憶されているかどうかを判断する。例えば、ＮＶＲＡＭ１４に補正処理の処理速度を半速にする旨の情報が記録されていれば、通話中は補正処理の処理速度を半速にする設定である（Ｓ２０４：ＹＥＳ）と判断する。
【００４８】
Ｓ２０５では、ＣＰＵ１１は画像形成部１７に補正処理の処理速度を半速にする旨の命令をだし、画像形成部１７はＣＰＵ１１の命令を受けて、補正処理の処理速度を半速に変更し、補正処理を行う。
【００４９】
さらに、Ｓ２０６において、ＣＰＵ１１は、ＮＶＲＡＭ１４から「半速」のときの通話音量の設定が「中」であることを読み出す。そして、ＣＰＵ１１は受話器１６に通話音量を「中」にするよう旨の命令を出し、受話器１６はＣＰＵ１１の命令を受けて、通話音量を「中」に変更する。
【００５０】
ＣＰＵ１１は、通話中の補正処理の処理速度を半速にしない設定である場合（Ｓ２０４：ＮＯ）、ＣＰＵ１１は補正処理の処理速度を全速のまま、補正処理を続行させる。続いて、通話音量を「大」に設定する（Ｓ２０８）。
【００５１】
例えば、ＮＶＲＡＭ１４に通話中の補正処理の処理速度を全速にする旨の情報が記憶されていれば、通話中の補正処理の処理速度を全速にする設定である（Ｓ２０１：ＮＯ、Ｓ２０４：ＮＯ）と判断し、補正処理の処理速度を全速のまま、補正処理を行う。
【００５２】
さらに、Ｓ２０８において、ＣＰＵ１１は、ＮＶＲＡＭ１４に通話音量の設定が「大」であることを読み出す。そして、ＣＰＵ１１は受話器１６に通話音量を「大」にする旨の命令を出し、受話器１６はＣＰＵ１１の命令を受けて、通話音量を「大」に変更する。
【００５３】
Ｓ２０３、Ｓ２０６、Ｓ２０８の処理が完了した後、ＣＰＵ１１は通話又は補正処理が終了したか判断する（Ｓ２０９、Ｓ２１３）。例えば、通話の終了を判断について、ＣＰＵ１１は、載置検出部２５が押し下げられた状態のとき、通話を終了したと判断する。通話が終了せず、補正処理も終了していない場合（Ｓ２０９：ＮＯ、Ｓ２１３：ＮＯ）、Ｓ２０９に戻り、通話が終了するか補正処理が終了するまでＳ２０９とＳ２１３の判断を繰り返す。
【００５４】
通話が終了した場合（Ｓ２０９：ＹＥＳ）、ＣＰＵ１１は補正処理が一時停止されているか判断する（Ｓ２１０）。補正処理が一時停止されている場合（Ｓ２１０：ＹＥＳ）、ＣＰＵ１１は、補正処理の処理速度を全速に戻し、画像形成部１７に補正処理を行わせる（Ｓ２１１）。
【００５５】
Ｓ２１０において、補正処理が一時停止されていない場合（Ｓ２１０：ＮＯ）、ＣＰＵ１１は補正処理の処理速度が半速であるか判断する（Ｓ２１２）。補正処理の処理速度が半速である場合（Ｓ２１２：ＹＥＳ）、ＣＰＵ１１は、補正処理の処理速度を全速に戻し、画像形成部１７に補正処理を行わせる（Ｓ２１１）。補正処理の処理速度が半速でない場合（Ｓ２１２：ＮＯ）、即ち補正処理の処理速度が全速である場合、ＣＰＵ１１は速度制御処理を終了する。
【００５６】
Ｓ２１３において、補正処理が終了した場合（Ｓ２１３：ＹＥＳ）、通話中の補正処理を半速で行う設定であるか判断する（Ｓ２１４）。通話中は補正処理を半速で行う設定である場合（Ｓ２１４：ＹＥＳ）、補正処理の処理速度の設定を全速に戻す。一方、通話中は補正処理を半速で行う設定でない場合（Ｓ２１４：ＮＯ）、即ち補正処理の処理速度が全速である場合、速度制御処理を終了する。
【００５７】
そして、Ｓ２１１、Ｓ２１２、Ｓ２１５の後、ＣＰＵ１１は速度制御処理を終了する。
【００５８】
（本実施形態の効果）
通話と画像形成を実行可能な複合機１０において、ＣＰＵ１１は、画像形成部１７が稼動していない間に受話器１６や報知部２２から音を出すときには「小」で音を出し、画像形成部１７が稼動している間に受話器１６や報知部２２から「小」より大きい「中」で音を出すように調整するので、画像形成部１７が稼動している間は、画像形成部１７が稼動していない間に比べて、「小」より大きい「中」で受話器１６や報知部２２が音を出すこととなり、ユーザは画像形成部１７が稼動している間でも受話器１６や報知部２２に依る出音を認識しやすくなる。
【００５９】
また、ＣＰＵ１１は、受話器１６と報知部２２から音を出すときの音量を、画像形成部１７が稼動を開始したら受話器１６と報知部２２から出す音の音量を「中」に変更し、画像形成部１７が停止したら出音部から出す音の音量を「小」に変更するので、画像形成部１７が稼動を開始した後に停止した場合、受話器１６と報知部２２から出す音の音量を「中」から「小」に変更することとなり、画像形成中に画像形成部１７が出音する時期と受話器１６と報知部２２が出音する時期が重ならないときに、受話器１６と報知部２２の出音量が不必要に上昇しないことになり、ユーザの利便性が増す。
【００６０】
また、ＣＰＵ１１は、画像形成部１７が稼動していない間に受話器１６と報知部２２から音を出すときには「小」で音を出し、画像形成部１７を半速で稼動している間に受話器１６と報知部２２から音を出すときには、「小」より大きい「中」で音を出すように調整し、画像形成部１７を半速より速度が大きい全速で稼動している間に受話器１６と報知部２２から音を出すときには、「中」より大きい「大」で音を出すように調整するので、画像形成部１７の動作速度が遅いほど出音量を小さくなり、余分に出音量を上げることなく、ユーザに対して受話器１６と報知部２２に依る出音を認識しやすくすることができる。
【００６１】
また、ＣＰＵ１１は、画像形成部１７に、報知部２２が外部装置と回線を介して通信が始まって着信音を出す際に、所定の条件が成立したときに画像形成時の画像品質を向上するため、着色剤を用いて画像データに基づく画像を形成する補正処理の実行を開始させるので、着信音を出す際に、補正処理が実行されることとなり、着信音と補正処理により出る音とを一時期に集中させることができる。例えば、夜中等のなるべく静かにしておきたい時間帯であれば、特定の期間に音を集中させることが可能となるため、ユーザは静かな時間帯を長く確保することができる。また、ユーザが不在のために留守番電話設定がされており、留守番電話設定で設定された回数着信音が鳴っている間に画像形成部１７が補正処理を行うので、別途画像形成部１７が補正処理を行う機会を与える必要がなくなり、ユーザの利便性が増す。
【００６２】
また、ＣＰＵ１１は、報知部２２が着信音を出す際に、補正処理が実行されていると、着信音を「小」より大きい「中」で音を出すように調整するので、補正処理を実行中であっても、「小」より大きい「中」で着信音を出すこととなり、ユーザは補正処理を実行中であっても出音部に依る出音を認識しやすくなる。
【００６３】
＜他の実施形態＞
本発明は上記記述及び図面によって説明した実施形態に限定されるものではなく、例えば次のような実施形態も本発明の技術的範囲に含まれる。
（１）図１のブロック図において、ユーザの設定を記録するのは、ＲＡＭ１３又はＮＶＲＡＭ１４に限らず、ハードディスク等の記録媒体であってもよい。
（２）本発明は、電話機能を備えた電子写真方式の画像形成装置や、インクジェット方式の画像形成装置など、種々の方式の画像形成装置に適用することができる。例えば、画像形成装置として、モノクロ画像形成専用のものにも本発明を適用することができる。
（３）本発明は、請求項の従属関係を解いて、各々の請求項のみの実施例に適用することができる。例えば、実施形態１のような全請求項の実施例に限らず、請求項１のみの実施例であってもよい。具体的には、図３において、ＣＰＵ１１は、規定の時間が経過したら（Ｓ１０１：ＹＥＳ）、画像形成部１７に補正処理を行わせる（Ｓ１０３）。続いて、ＣＰＵ１１は、通話が開始された場合（Ｓ１０５：ＹＥＳ）、速度制御処理を行わせる（Ｓ１０６）。速度制御処理では、ＣＰＵ１１は、画像形成部１７に補正処理を全速で行わせ（Ｓ２０７）、通話音量を図２の補正処理の処理速度が全速の対となる通話音量に設定し（Ｓ２０８）、通話が終了した場合Ｓ（２０９：ＹＥＳ）、速度制御処理を終了する。
（４）本発明は、本実施形態のように補正処理の実施形態に限らず、印刷データに基づいて画像形成部１７が被記録媒体上に画像を形成する画像形成処理に対しても適用可能である。例えば、ユーザが画像形成処理を指示した後に画像形成処理中に着信が開始される場合、着信が開始されることに応じてＣＰＵ１１が報知部２２の着信音量を上げるので、画像形成中であってもユーザが着信音を聞き取りやすくなり、ユーザの利便性が増す。
（５）本発明は、本実施形態のように能動的にＮＶＲＡＭに記録されている設定テーブルによって変化するのではなく、例えば、処理負荷の大きな画像データを処理する際に画像形成速度が遅くなる等、受動的に動作速度が変化する構成としてもよい。
この場合、以下のような例が挙げられる。ＣＰＵ１１が、ＲＡＭ等に記録された画像形成部の画像形成処理の処理速度を検出した後、ＲＡＭ等に記録された画像形成処理の処理速度を参照しながら、画像形成処理の処理速度の判断を行う（例えば、Ｓ２０１、Ｓ２０４の補正処理を画像形成処理に置き換える）。続いて、ＣＰＵ１１が、画像形成処理の音が通話に影響を与えないような通話音量を設定する。
具体的には、ＣＰＵ１１は、通話中に全速で画像形成処理を行わせ、通話音量が「大」に設定されている状態で、処理負荷の大きな画像データを処理するために画像形成処理の処理速度が半速になった場合、通話に影響の出ない通話音量「中」に設定する。尚、ＣＰＵ１１が、画像形成処理の処理速度の読み取りと判断を繰り返し、画像形成処理の処理速度に応じた通話音量を設定する。
【符号の説明】
【００６４】
１０…複合機
１１…ＣＰＵ
１４…ＮＶＲＡＭ
１６…受話器
１７…画像形成部
２２…報知部
【図１】
2011142612.tif 000003
【図２】
2011142612.tif 000004
【図３】
2011142612.tif 000005
【図４】
2011142612.tif 000006